【事件の表示】
　特願２００８−２９１６０３「カラーフィルタ用緑色着色組成物、及びカラーフィルタ」拒絶査定不服審判事件〔平成２２年　５月　６日出願公開、特開２０１０−１００７８９〕について、次のとおり審決する。
【結　論】
　本件審判の請求は、成り立たない。
【理　由】
第１　手続の経緯
　
　この出願は，平成２０年１１月１４日（優先権主張平成１９年１１月２２日，平成２０年９月２６日）の出願であって，以降の手続の経緯は以下のとおりのものである。　
　平成２３年　６月２９日　　　手続補正
　平成２５年　６月１８日付け　拒絶理由通知
　平成２５年　８月２０日　　　意見書提出・手続補正
　平成２５年　９月　６日付け　拒絶査定
　平成２５年１０月２８日　　　審判請求・手続補正
　
第２　平成２５年１０月２８日付けの手続補正についての補正の却下の決定
　
[補正の却下の決定の結論]　
　平成２５年１０月２８日付けの手続補正を却下する。
　
[理由]
１　本件補正
　
　平成２５年１０月２８日付けの手続補正（以下「本件補正」という。）は，本件補正前の請求項１である　
「少なくともハロゲン化亜鉛フタロシアニン顔料を含む緑色顔料成分と，アンカー部がベンズイミダゾロン，またはアントラキノンである塩基性置換基を有する色素誘導体と，樹脂，その前駆体又はそれらの混合物からなる顔料担体と，を含有してなるカラーフィルタ用緑色着色組成物。」を，
　補正後の請求項１である，
「少なくともハロゲン化亜鉛フタロシアニン顔料を含む緑色顔料成分と，
一般式（１）で示される
一般式（１）：
Ｐ−Ｌｍ
（ただし，一般式（１）中，
Ｐは，ｍ価の，ベンズイミダゾロン顔料残基，又はアントラキノン骨格であり，ｍは，１〜４の整数であり，
Ｌは，一般式（２），及び（４）で示される群から選ばれる置換基である。）
一般式（２）：
【化１】
一般式（４）：
【化２】
〔
ただし，一般式（２），（４）中，
Ｘは，−ＳＯ
2
−，−ＣＯ−，−ＣＨ
2
−，−ＣＨ
2
ＮＨＣＯＣＨ
2
−，−ＣＨ
2
ＮＨＳＯ
2
ＣＨ
2
−，又は直接結合であり，
Ｙは，−ＮＨ−，−Ｏ−，又は直接結合であり，
ｎは，１〜１０の整数であり，
Ｙ
1
は，−ＮＨ−，−ＮＲ
58
−Ｚ−ＮＲ
59
−，又は直接結合であり，
Ｒ
58
，及びＲ
59
は，それぞれ独立に，水素結合，置換基を有しても良い炭素数１〜３６いアルキル基，置換基を有しても良い炭素数２〜３６のアルケニル基，又は置換基を有しても良いフェニル基であり，
Ｚは，置換基を有しても良いアルキレン基，又は置換基を有しても良いアリーレン基であり，
Ｒ
50
，Ｒ
51
は，それぞれ独立に，水素原子，置換基を有しても良い炭素数１〜３０のアルキル基，置換基を有しても良い炭素数２〜３０のアルケニル基，又はＲ
50
とＲ
51
とが一体となって更なる窒素，酸素，若しくは硫黄原子を含む，置換基を有しても良い複素環であり，
Ｒ
57
は，前記一般式（２）で表す置換基であり，
Ｑは，水酸基，アルコキシル基，又は上記一般式（２）で示される置換基である。〕
とする補正を含むものである。なお，下線は補正箇所を示す。
　
２　本件補正の適否
　
（１）補正の目的の適否
　
　本件補正は，補正前の請求項１に記載した発明を特定するために必要な事項である「アンカー部がベンズイミダゾロン，またはアントラキノンである塩基性置換基を有する色素誘導体」を，「一般式（１）で示される色素誘導体」で，
「一般式（１）：
Ｐ−Ｌｍ
（ただし，一般式（１）中，
Ｐは，ｍ価の，ベンズイミダゾロン顔料残基，又はアントラキノン骨格であり，ｍは，１〜４の整数であり，
Ｌは，一般式（２），及び（４）で示される群から選ばれる置換基である。）
一般式（２）：
【化１】
一般式（４）：
【化２】
〔ただし，一般式（２），（４）中，
Ｘは，−ＳＯ2−，−ＣＯ−，−ＣＨ2−，−ＣＨ2ＮＨＣＯＣＨ2−，−ＣＨ2ＮＨＳＯ2ＣＨ2−，又は直接結合であり，
Ｙは，−ＮＨ−，−Ｏ−，又は直接結合であり，
ｎは，１〜１０の整数であり，
Ｙ1は，−ＮＨ−，−ＮＲ58−Ｚ−ＮＲ59−，又は直接結合であり，
Ｒ58，及びＲ59は，それぞれ独立に，水素結合，置換基を有しても良い炭素数１〜３６いアルキル基，置換基を有しても良い炭素数２〜３６のアルケニル基，又は置換基を有しても良いフェニル基であり，
Ｚは，置換基を有しても良いアルキレン基，又は置換基を有しても良いアリーレン基であり，
Ｒ50，Ｒ51は，それぞれ独立に，水素原子，置換基を有しても良い炭素数１〜３０のアルキル基，置換基を有しても良い炭素数２〜３０のアルケニル基，又はＲ50とＲ51とが一体となって更なる窒素，酸素，若しくは硫黄原子を含む，置換基を有しても良い複素環であり，
Ｒ57は，前記一般式（２）で表す置換基であり，
Ｑは，水酸基，アルコキシル基，又は上記一般式（２）で示される置換基である。〕」に限定するものである。
　そして，その補正前の請求項１に記載された発明と補正後の請求項１に記載される発明の産業上の利用分野及び解決しようとする課題が同一であるから，特許法第１７条の２第５項第２号の特許請求の範囲の減縮を目的とするものに該当する。
　
（２）独立特許要件について
　
　そこで，本件補正後の上記請求項１に記載されている事項により特定される発明（以下「本願補正発明」という。）が特許出願の際独立して特許を受けることができるものであるか（特許法第１７条の２第６項において準用する同法第１２６条第７項の規定に適合するか）否かについて以下検討する。
　
ア　本願補正発明
　
　本願補正発明は，上記１において補正後の請求項１に係る発明として記載したとおりである。
　
イ　刊行物
　
刊行物１：特開２００７−２０４６５８号（原査定における引用文献１）
刊行物Ａ：特開２００７−３３５７９号公報
刊行物Ｂ：特開２００４−３０７８５４号公報
刊行物Ｃ：特開昭６３−３０５１７３号公報
　
　刊行物ＡないしＣは，この出願の優先日における周知技術又は技術水準を示すために引用するものである。
　
ウ　刊行物の記載事項
　
　本願優先日前に頒布された刊行物である刊行物１，ＡないしＣには，以下の事項が記載されている。
　
（ア）刊行物１　
１ａ「【請求項１】
　樹脂，その前駆体またはそれらの混合物からなる顔料担体と，中心金属としてアルミニウムを有するアルミニウムフタロシアニン顔料と，中心金属として亜鉛を有する亜鉛フタロシアニン顔料とを含むことを特徴とする着色組成物。」
　
１ｂ「【技術分野】
【０００１】
　本発明は，フタロシアニン顔料を含む着色組成物に関するものであり，更に詳しくは，インキや塗料に有効な，フタロシアニン顔料を含む着色組成物に関するものである。
【背景技術】
【０００２】
　　　　　　　　　　・・・・・
　具体的には、緑色インキや塗料の色材としては、C.I. Pigment Green36、C.I. Pigment Green7等の銅フタロシアニングリーン顔料が用いられ、青色インキや塗料の色材としては、C.I. Pigment Blue15、15:1、15:2、15:3、15:4、15:6等の銅フタロシアニンブルー顔料が用いられている。
【０００３】
　　　　　　　　　　・・・・・
【発明が解決しようとする課題】
【０００４】
　本発明の課題は，インキや塗料に用いた場合に，着色力が高く，かつ色表示領域が広い，良好な着色組成物を提供することにある。
【課題を解決するための手段】
【０００５】
　本発明の着色組成物は，樹脂，その前駆体またはそれらの混合物からなる顔料担体と，中心金属としてアルミニウムを有するアルミニウムフタロシアニン顔料と，中心金属として亜鉛を有する亜鉛フタロシアニン顔料とを含むことを最も主要な特徴とする。
【発明の効果】
【０００６】
　本発明の着色組成物を用いることにより，鮮明な色調だけでなく，高い着色力，広い色表示領域を持った良好なインキ及び塗料を得ることができる。
【発明を実施するための最良の形態】
【０００７】
　本発明の着色組成物は，樹脂，その前駆体またはそれらの混合物からなる顔料担体と，中心金属としてアルミニウムを有するアルミニウムフタロシアニン顔料と，中心金属として亜鉛を有する亜鉛フタロシアニン顔料とを含むものである。
　アルミニウムフタロシアニン顔料は，鮮明な色調を発揮すると共に，広い色表示領域を発揮する。また，亜鉛フタロシアニン顔料は，広い色表示領域を発揮すると共に，高い着色力を発揮する。そのため，本発明の着色組成物は，鮮明な色調，広い色表示領域，高い着色力を満足する。
【０００８】
　金属フタロシアニン顔料の合計重量を基準（１００重量％）とするアルミニウムフタロシアニン顔料の含有量は５〜４０重量％であることが好ましく，１０〜３０重量％であることがより好ましい。アルミニウムフタロシアニン顔料の含有量が５重量％未満の場合には，鮮明な色調と広い色表示領域を満足させることができず，４０重量％を超える場合には，着色力が低下し，保存安定性が悪くなる。
【０００９】
　また，金属フタロシアニン顔料の合計重量を基準（１００重量％）とする亜鉛フタロシアニン顔料の含有量は６０〜９５重量％であることが好ましく，７０〜９０重量％であることがより好ましい。亜鉛フタロシアニン顔料の含有量が６０重量％未満の場合には，着色力が低下し，広い色表示領域を満足させることができず，９５重量％を超える場合には，鮮明な色調でなくなり，保存安定性が悪くなる。
　本発明の着色組成物は，さらに，中心金属としてアルミニウムおよび亜鉛以外の金属を有する異種金属フタロシアニン顔料を含むことができ，なかでも中心金属として銅を有する銅フタロシアニン顔料は，鮮明な色調を発揮するため，好ましい。
【００１０】
　また，顔料としてアルミニウムフタロシアニン顔料と亜鉛フタロシアニン顔料と銅フタロシアニン顔料の３種類の顔料のみを含む場合には，着色力，鮮明な色調，広い表示領域すべてを満足させ，さらに保存安定性に優れるため，より好ましい。この場合，アルミニウムフタロシアニン顔料と亜鉛フタロシアニン顔料との組み合わせだけでは困難であった保存安定性改良の点から，金属フタロシアニン顔料の合計重量を基準（１００重量％）とするアルミニウムフタロシアニン顔料の含有量は，好ましくは５〜４５重量％，より好ましくは１０〜４０重量％であり，亜鉛フタロシアニン顔料の含有量は，好ましくは３０〜８０重量％，より好ましくは４０〜７０重量％であり，銅フタロシアニン顔料の含有量は，好ましくは１０〜６０重量％，より好ましくは２０〜５０重量％である。」
　
１ｃ「【００１６】
　本発明の着色組成物は，さまざまな塗膜形成方法に対応し，分散性，耐熱性，耐候性，塗膜密着性等の諸特性を満足させるため，樹脂，その前駆体またはそれらの混合物からなる顔料担体を含む。樹脂としては，熱可塑性樹脂，熱硬化性樹脂，感光性樹脂を用いることができ，樹脂の前駆体としては，モノマー，オリゴマーを用いることができる。
　熱可塑性樹脂としては，例えば，ブチラール樹脂，スチレンーマレイン酸共重合体，塩素化ポリエチレン，塩素化ポリプロピレン，ポリ塩化ビニル，塩化ビニル−酢酸ビニル共重合体，ポリ酢酸ビニル，ポリウレタン系樹脂，ポリエステル樹脂，アクリル系樹脂，アルキッド樹脂，ポリスチレン樹脂，ポリアミド樹脂，ゴム系樹脂，環化ゴム系樹脂，セルロース類，ポリブタジエン，ポリエチレン，ポリプロピレン，ポリイミド樹脂等が挙げられる。また，熱硬化性樹脂としては，例えば，エポキシ樹脂，ベンゾグアナミン樹脂，ロジン変性マレイン酸樹脂，ロジン変性フマル酸樹脂，メラミン樹脂，尿素樹脂，フェノール樹脂等が挙げられる。」
　
１ｄ「【００２１】
　本発明の着色組成物は，金属フタロシアニン顔料を，必要に応じて上記光重合開始剤と共に，顔料担体中に，三本ロールミル，二本ロールミル，サンドミル，ニーダー等の各種分散手段を用いて微細に分散して製造することができる。
　金属フタロシアニン顔料を顔料担体中に分散する際には，適宜，樹脂型顔料分散剤，界面活性剤，色素誘導体等の分散助剤を含有させることができる。分散助剤は，顔料の分散に優れ，分散後の顔料の再凝集を防止する効果が大きいので，分散助剤を用いて顔料を顔料担体中に分散した場合には，分散性，特に保存安定性，低チキソ性に優れた着色組成物が得られる。分散助剤は，着色組成物中の顔料の合計１００重量部に対して，３〜２０重量部，好ましくは５〜１５重量部の量で用いることができる。
分散助剤のうち，塩基性基を有する色素誘導体，または酸性基を有する色素誘導体もしくはその塩は，顔料の分散効果が大きいため好適に用いられる」
　
１ｅ「【００２９】
　色素誘導体は，有機色素に塩基性基または酸性基を導入した化合物である。有機色素には，一般に色素とは呼ばれていないナフタレン系，アントラキノン系等の淡黄色の芳香族多環化合物やトリアジンも含まれる。色素誘導体としては，特開昭６３−３０５１７３号公報，特公昭５７−１５６２０号公報，特公昭５９−４０１７２号公報，特公昭６３−１７１０２号公報，特公平５−９４６９号公報等に記載されているものを使用できる。なかでも，塩基性基を有する色素誘導体は，顔料の分散効果が大きいため，好適に用いられる。
【００３０】
　色素誘導体を構成する有機色素としては，例えば，ジケトピロロピロール系色素，アゾ，ジスアゾ，ポリアゾ等のアゾ系色素，フタロシアニン系色素，ジアミノジアントラキノン，アントラピリミジン，フラバントロン，アントアントロン，インダントロン，ピラントロン，ビオラントロン等のアントラキノン系色素，キナクリドン系色素，ジオキサジン系色素，ペリノン系色素，ペリレン系色素，チオインジゴ系色素，イソインドリン系色素，イソインドリノン系色素，キノフタロン系色素，スレン系色素，金属錯体系色素が挙げられる。また，先に例示した有機顔料でもよい。
【００３１】
　色素誘導体が有する塩基性基として具体的には，下記一般式２，３，４および５で表される置換基が挙げられる。なかでも，下記一般式５で表されるトリアジン環含有の塩基性基を有する色素誘導体は，顔料の分散効果が大きいため，好適である。
一般式２
【化２】
　　　　　　　　　　・・・・・
一般式５
【化５】
【００３２】
　上記式２〜５において，Ｘは，−ＳＯ2−，−ＣＯ−，−ＣＨ2ＮＨＣＯＣＨ2−，−ＣＨ2−または直接結合を表す。
　ｎは，１〜１０の整数を表し，好ましくは１〜３の整数である。
　Ｒ1およびＲ2は，それぞれ独立に，炭素数１〜３６の置換されていてもよいアルキル基，炭素数２〜３６の置換されていてもよいアルケニル基もしくは置換されていてもよいフェニル基を表すか，またはＲ1とＲ2とが結合して更なる窒素，酸素または硫黄原子を含む置換されていてもよい複素環を形成する。Ａ1およびＡ2は，好ましくは，１〜５個の炭素原子を有する非置換もしくは置換アルキル基である。
　　　　　　　　　　・・・・・
【００３３】
　　　　　　　　　　・・・・・
　Ｙは，−ＮＲ8−Ｚ−ＮＲ9−または直接結合を表す。
　Ｒ8およびＲ9は，それぞれ独立に，水素原子，炭素数１〜３６の置換されていてもよいアルキル基，置換されていてもよい炭素数２〜３６のアルケニル基または置換されていてもよいフェニル基を表す。Ｒ8およびＲ9は，好ましくは，それぞれ，水素原子である。
【００３４】
　Ｚは，炭素数１〜３６の置換されていてもよいアルキレン基，炭素数２〜３６の置換されていてもよいアルケニレン基，または置換されていてもよいフェニレン基を表す。Ｚは，好ましくは，非置換もしくは置換フェニレン基である。
  Ｐは，下記式６で示される置換基または下記式７で示される置換基を表す。下記式６および７において，Ｒ1〜Ｒ7，およびｎは，上に定義したとおりである。
　Ｑは，水酸基，アルコキシル基，下記式６で示される置換基または下記式７で示される置換基を表す。Ｑは，好ましくは，下記式６で示される置換基である。
【００３５】
一般式６
【化６】
　　　　　　　　　　・・・・・
【００３６】
　塩基性基を有する色素誘導体は，種々の合成経路で合成することができる。例えば，有機色素に，下記式８〜１１で表される置換基を導入した後，該置換基と反応して一般式２〜５で表される置換基を形成するアミン成分，例えば，Ｎ，Ｎ−ジメチルアミノプロピルアミン，Ｎ−メチルピペラジン，ジエチルアミンまたは４−［４−ヒドロキシ−６−［３−（ジブチルアミノ）プロピルアミノ］−１，３，５−トリアジン−２−イルアミノ］アニリン等を反応させることによって得られる。
【００３７】
式８    −ＳＯ2Ｃｌ
式９    −ＣＯＣｌ
式１０  −ＣＨ2ＮＨＣＯＣＨ2Ｃｌ
式１１  −ＣＨ2Ｃｌ」
　
１ｆ「【００３８】
　　　　　　　　　　・・・・・
　色素誘導体としては，表１〜１３に示すものを用いることができるが，これらに限定されるわけではない。色素誘導体は，単独でまたは２種類以上を混合して用いることができる。
【００３９】
【００４０】
【００４１】
【００４２】
【００４３】
【００４４】
【００４５】
【００４６】
　」
　
１ｇ「【実施例】
【００５６】
　以下に，本発明を実施例に基づいて説明するが，本発明はこれによって限定されるものではない。なお，実施例および比較例中，「部」とは「重量部」を意味する。
まず，実施例および比較例で用いた樹脂溶液および顔料について説明する。
【００５７】
（アクリル樹脂溶液の調製）
　セパラブル４口フラスコに温度計，冷却管，窒素ガス導入管，撹拌装置を取り付けた反応容器にシクロヘキサノン７０．０部を仕込み，８０℃に昇温し，反応容器内を窒素置換した後，滴下管よりｎ−ブチルメタクリレート１３．３部，２−ヒドロキシエチルメタクリレート４．６部，メタクリル酸４．３部，パラクミルフェノールエチレンオキサイド変性アクリレート（東亞合成株式会社製「アロニックスＭ１１０」）７．４部，２，２'−アゾビスイソブチロニトリル０．４部の混合物を２時間かけて滴下した。滴下終了後，更に３時間反応を継続し，重量平均分子量２６０００のアクリル樹脂の溶液を得た。室温まで冷却した後，樹脂溶液約２ｇをサンプリングして１８０℃，２０分加熱乾燥して不揮発分を測定し，先に合成した樹脂溶液に不揮発分が２０重量％になるようにシクロヘキサノンを添加してアクリル樹脂溶液を調製した。
【００５８】
　以下に，粗製緑色顔料の合成法を記す。なお，合成した粗製顔料中の金属の測定は，以下の方法で行った。まず，１００ｍｌビーカーに粗製顔料０．５ｇ，硫酸１ｍｌ，および硝酸３ｍｌを入れ，ガスコンロで１時間３０分加熱して分解後，６００℃の電気炉で４時間加熱して分解した。分解物に，塩酸５ｍｌおよび純水２５ｍｌ入れて溶解し，溶解物を５０ｍｌに定容し，ＩＣＰ原子発光分光分析により金属原子量を測定した。また，粗製顔料中の塩素，臭素の数（１分子内に含まれる平均塩素数および平均臭素数）は，Ｎｏ．６の濾紙に粗製顔料０．０１ｇを包み，過酸化水素５滴を滴下して，酸素置換した燃焼フラスコ中で燃焼した。燃焼後１００ｍｌに定容し，イオンクロマトグラフ分析により測定した。
【００５９】
（粗製ハロゲン化銅フタロシアニン顔料の合成）
　塩化アルミニウム３５６部および塩化ナトリウム６部の２００℃の溶融塩に，銅フタロシアニン４６部を溶解し，１３０℃まで冷却し１時間攪拌した。反応温度を１８０℃に昇温し，臭素を１時間あたり１０部で１０時間滴下した。その後，塩素を１時間あたり０．８部で５時間導入した。この反応液を水３２００部に徐々に注入したのち，濾過，水洗して１２０．２部の粗製ハロゲン化銅フタロシアニン顔料を得た。粗製ハロゲン化銅フタロシアニン顔料の１分子内に含まれる平均臭素数は１３．５個，平均塩素数は２．５個であった。
【００６０】
（粗製ハロゲン化アルミニウムフタロシアニン顔料の合成）
　塩化アルミニウム３５６部および塩化ナトリウム６部の２００℃の溶融塩に，アルミニウムフタロシアニン４６部を溶解し，１３０℃まで冷却し１時間攪拌した。反応温度を１８０℃に昇温し，臭素を１時間あたり１０部で１０時間滴下した。その後，塩素を１時間あたり０．８部で５時間導入した。この反応液を水３２００部に徐々に注入したのち，濾過，水洗して１１０．８部の粗製ハロゲン化アルミニウムフタロシアニン顔料を得た。粗製ハロゲン化アルミニウムフタロシアニン顔料の１分子内に含まれる平均臭素数は１４．０個，平均塩素数は２．０個であった。
【００６１】
（粗製ハロゲン化亜鉛フタロシアニン顔料の合成）
　塩化アルミニウム３５６部および塩化ナトリウム６部の２００℃の溶融塩に，亜鉛フタロシアニン４６部を溶解し，１３０℃まで冷却し１時間攪拌した。反応温度を１８０℃に昇温し，臭素を１時間あたり１０部で１０時間滴下した。その後，塩素を１時間あたり０．８部で５時間導入した。この反応液を水３２００部に徐々に注入したのち，濾過，水洗して１０７．８部の粗製ハロゲン化亜鉛フタロシアニン顔料を得た。粗製ハロゲン化亜鉛フタロシアニン顔料の１分子内に含まれる平均臭素数は１４．１個，平均塩素数は１．９個であった。
　　　　　　　　　　・・・・・
【００６４】
　次に，下記の方法で粗製ハロゲン化金属フタロシアニン顔料を顔料化処理し，フタロシアニン系緑色顔料を製造した。
（フタロシアニン系緑色顔料１の作製）
　粗製ハロゲン化銅フタロシアニン顔料１００部，塩化ナトリウム１００部，ジエチレングリコール５０部をステンレス製１ガロンニーダー（井上製作所製）に仕込み，７０℃で２時間混練した。次に，この混練物を５リットルの温水に投入し，７０℃に加熱しながら１時間攪拌してスラリー状とし，濾過，水洗を繰り返して塩化ナトリウム及びジエチレングリコールを除いた後，８０℃で一昼夜乾燥し，フタロシアニン系緑色顔料１を得た。
【００６５】
（フタロシアニン系緑色顔料２の作製）
　粗製ハロゲン化銅フタロシアニン顔料の代わりに，粗製ハロゲン化アルミニウムフタロシアニン顔料を用いた以外は，フタロシアニン系緑色顔料１と同様の方法でフタロシアニン系緑色顔料２を得た
（フタロシアニン系緑色顔料３の作製）
　粗製ハロゲン化銅フタロシアニン顔料の代わりに，粗製ハロゲン化亜鉛フタロシアニン顔料を用いた以外は，フタロシアニン系緑色顔料１と同様の方法でフタロシアニン系緑色顔料３を得た。
　　　　　　　　　　　　・・・・・
【００７０】
[実施例１〜２０，比較例１〜３４]
　表１４に示す組成のフタロシアニン系顔料を含む下記の組成の混合物を均一に撹拌混合し，直径０．１ｍｍのジルコニアビーズを用いて，ｐｉｃｏミルで１０時間分散した後，５μｍのフィルタで濾過し，顔料分散体を作製した。
　フタロシアニン系顔料の合計　　　１３．５部
　色素誘導体（化合物Ａ−４８）　　　１．５部
　アクリル樹脂溶液　　　　　　　　４０．０部
　ジペンタエリストリトールペンタアクリレートおよびヘキサアクリレート（東亞合成社製「アロニックスＭ４００」）７．０部
　シクロヘキサノン　　　　　　　　３８．０部
【００７１】
　ついで，下記組成の混合物を均一になるように攪拌混合した後，１μｍのフィルタで濾過し，着色組成物を作製した。
　上記顔料分散体　　　　　　　　　５３．３３部
　アクリル樹脂溶液　　　　　　　　　７．７５部
　光重合開始剤　　　　　　　　　　　２．２４部
（チバスペシャルティケミカルズ社製「イルガキュア９０７」）
　界面活性剤（ビックケミー社製「ＢＹＫ−３２３」）０．０３部
　貯蔵安定剤（北興化学社製「ＴＰＰ」）０．２０部
　シクロへキサノン                 ３６．４５部
【００７２】
（１）色調の鮮明度評価
　ガラス基板に，スピンコートにより，Ｃ光源で緑色塗膜はｙ＝０．５０，青色塗膜はｙ＝０．１７の色度になるような膜厚で，実施例１〜２０，比較例１〜３２で得られた着色組成物を塗布した。乾燥後，露光機にて全面露光し光硬化させた後，２３０℃のオーブンで１時間加熱し熱硬化させ，サンプル基板を得た。サンプル基板を２枚の偏光板の間に挟み，偏光板が平行の時の輝度と偏光板が直行の時の輝度を下記の方法で測定し，色調の鮮明度として，偏光板が平行のときの輝度と，直行のときの輝度との比を算出した。
（色調の鮮明度）＝（平行のときの輝度）／（直行のときの輝度）
【００７３】
　サンプル基板を２枚の偏光板の間に挟んだ状態における輝度の測定法について説明する。
　サンプル基板を挟んだ２枚の偏光板の，一方の偏光板側から光を照射すると，照射した光は，一方の偏光板を通過して偏光され，ガラス基板上に塗布された着色組成物の乾燥塗膜を通過し，他方の偏光板に到達する。２枚の偏光板の偏光面が平行であれば，光は偏光板を透過するが，偏光面が直行している場合には，光は偏光板により遮断される。この透過光を，偏光板が平行のときの輝度および偏光板が直行の時の輝度として測定した。
　なお，輝度計としては色彩輝度計（トプコン社製「ＢＭ−５Ａ」），偏光板としては偏光板（日東電工社製「ＮＰＦ−Ｇ１２２０ＤＵＮ」）を用いた。測定に際しては，不要光を遮断するために，測定部分に１ｃｍ角の孔を開けた黒色のマスクを当てた。
【００７４】
　偏光板によって偏光された光が着色組成物の乾燥塗膜を通過するときには，顔料粒子による散乱等が起こり，偏光面の一部にずれを生じると，偏光板が平行のときは偏光板を透過する光量が減り，偏向板が直行のときは偏光板を一部光が透過する。すなわち，着色組成物の乾燥塗膜中の顔料粒子により散乱が起こると，平行のときの輝度が低下し，かつ直行のときの輝度が増加するため，色調の鮮明度の値が低くなる。従って，色調の鮮明度の値が大きい程，鮮明度が優れており，より優れている。なお，色調の鮮明度の誤差範囲は±９０であり，その範囲を超えた結果は明らかな差である。
【００７５】
（２）色表示領域評価
　得られた着色組成物を，１００ｍｍ×１００ｍｍのガラス基板上に，スピンコーターを用いて５００ｒｐｍ，１０００ｒｐｍ，１５００ｒｐｍ，２０００ｒｐｍの回転数で塗布し，膜厚が異なる４種の塗布基板を得た。乾燥後，露光機にて全面露光し光硬化させた後，２３０℃のオーブンで１時間加熱し熱硬化させた塗膜を得た。得られた橙色塗膜のＣ光源での色度（Ｙ，ｘ，ｙ）を顕微分光光度計（オリンパス光学社製「ＯＳＰ−ＳＰ１００」）を用いて測定した。４組の色度・分光測定結果から，緑色塗膜はｙ＝０．５０，青色塗膜はｙ＝０．１７の時の，ｘおよびＹを求めた。
　濃度方向であるｙを固定した場合，Ｙが大きいほど光透過量が多く，色表示領域が広く優れている。
　さらに，ｘの値が小さくなるほど，短波長の透過領域が広がっていることを示しているため，色表示領域が広く優れているといえる。より好ましくは，Ｙが大きい，かつｘが小さい場合である。
　ｘの誤差範囲は±０．００２であり，その範囲を超えた結果は明らかな差である。
　Ｙの誤差範囲は±０．１であり，その範囲を超えた結果は明らかな差である。
【００７６】
（３）着色力評価
　上記（２）色表示領域評価で得られた塗膜のＣ光源での色度（Ｙ，ｘ，ｙ）を顕微分光光度計（オリンパス光学社製「ＯＳＰ−ＳＰ１００」）を用いて測定した分光測定結果，および膜厚測定結果から，可視光領域の最大吸収が２（透過率１％）になる時の塗膜の厚みを算出し，着色力値とした。着色力値が小さい程，体積あたりの着色力が大きいことを示しており，優れているといえる。
　着色力の誤差範囲は±０．０９であり，その範囲を超えた結果は明らかな差である。
【００７７】
（４）保存安定性評価
　得られた着色組成物の４０℃で７日静置前後の粘度を，Ｅ型粘度計（東機産業社製「Ｒ１１０」）を用いて２５℃で測定した。４０℃で７日静置前後の粘度の変化量が１割未満を◎，１割以上２割未満を○，２割以上５割未満を△，５割以上を×として，保存安定性を評価した。
　粘度の変化量が小さい程，保存安定していることを示しており，優れているといえる。
【００７８】
（１）色調の鮮明度評価，（２）色表示領域評価，（３）着色力評価，（４）保存安定性評価の結果を表１４に表す。
　
　
【００７９】
　実施例１は，色調の鮮明度が比較例１（現行品）と同等であり，保存安定性が若干悪い以外の項目，色表示領域ｘ，色表示領域Ｙ，着色力が改善されており，優れている。
　実施例２と３は，保存安定性が若干悪い以外の項目，色調の鮮明度，色表示領域ｘ，色表示領域Ｙ，着色力が改善されており，優れている。
　実施例１〜３より，本発明の着色組成物は，色調の鮮明性，色表示領域の広さおよび着色力のすべてにおいて現行品より優れていることがわかる。中でも，より好ましい範囲でアルミニウムフタロシアニン顔料と亜鉛フタロシアニン顔料を含む実施例２は，色調の鮮明性，色表示領域の広さおよび着色力のすべてにおいてバランスが取れ，非常に優れている。
【００８０】
　実施例４は，色調の鮮明度，色表示領域ｘ，色表示領域Ｙが現行品と同等で，着色力が改善されており，やや優れている。
　実施例５〜１０は，色調の鮮明度，色表示領域ｘ，色表示領域Ｙ，着色力が改善されており，非常に優れている。
　実施例４〜１０より，本発明の着色組成物は，色調の鮮明性，色表示領域の広さおよび着色力のすべてにおいて現行品より優れていることがわかる。中でも，より好ましい範囲でアルミニウムフタロシアニン顔料と亜鉛フタロシアニン顔料と銅フタロシアニン顔料を含む実施例７〜１０は，非常に優れており，さらに実施例１０はすべての項目でバランスよく良好で最も優れている。」
　
１ｈ「【産業上の利用可能性】
【００８５】
　本発明の着色組成物は，鮮明な色調，広い色表示領域，高い着色力を発揮する良好なインキ及び塗料として用いることができ，グラビアインキ，自動車用，木材用，金属用等の各種一般塗料，磁気テープのバックコート塗料，ラジエーションキュアー型インキ，インクジェットプリンター用インキ，カラーフィルター用インキ等の用途に適当できる。」
　
（イ）刊行物Ａ
Ａ１「【請求項１】
　透明樹脂，その前駆体またはそれらの混合物からなる顔料担体と，フタロシアニン系緑色顔料と，下記式（１）で示されるアゾバルビツール酸金属錯体1．００モルに対し，１．００〜１．９５モルのメラミンおよび０．０５〜１．００モルの下記式（２）で示される化合物で構成されているアゾバルビツール酸金属錯体顔料とを含むことを特徴とするカラーフィルタ用緑色着色組成物
（式中，MetalはFe，Ni，Cu，Cs，Cd，Co，Al，Cr，Sn，Pb，またはMnを表す。）
(式中，Ａは炭素原子または窒素原子を表し，Ｒaは水素原子，置換基を有してもよいフェニル基，または窒素含有の複素環残基を表し，Ｒbは炭素数１−６のアルキル基，水酸基，塩素原子，臭素原子，−ＮＨ2，−ＮＨＲe，−ＮＲeＲf，または−ＮＨ−Ｒd−ＮＲeＲfを表し，Ｒcは−ＮＲeＲf，または−ＮＨ−Ｒd−ＮＲeＲfを表し，Ｒdは炭素数１−６のアルキレン基を表し，Ｒe，Ｒfは共に炭素数１−６のアルキル基またはアルケニル基を表す。)
【請求項２】
　さらに，下記式（３）〜（６）の塩基性基からなる群の中から選ばれる少なくとも１つの塩基性基を有する色素誘導体を含有することを特徴とする請求項１記載のカラーフィルタ用緑色着色組成物。
式（３）
　　　　　　　　　　・・・・・
（上記式（３）〜（６）において，Ｘは，−ＳＯ2−，−ＣＯ−，−ＣＨ2ＮＨＣＯＣＨ2−，−ＣＨ2−または直接結合を表し，ｎは，１〜１０の整数を表し，Ｒ1およびＲ2は，それぞれ独立に，炭素数１〜３６の置換されていてもよいアルキル基，炭素数２〜３６の置換されていてもよいアルケニル基もしくは置換されていてもよいフェニル基を表すか，またはＲ1とＲ2とが結合して更なる窒素，酸素または硫黄原子を含む置換されていてもよい複素環を形成し・・Ｙは，−ＮＲ8−Ｚ−ＮＲ9−または直接結合を表し，Ｒ8およびＲ9は，それぞれ独立に，水素原子，炭素数１〜３６の置換されていてもよいアルキル基，置換されていてもよい炭素数２〜３６のアルケニル基または置換されていてもよいフェニル基を表し，Ｚは，炭素数１〜３６の置換されていてもよいアルキレン基，炭素数２〜３６の置換されていてもよいアルケニレン基，または置換されていてもよいフェニレン基を表し，Ｒは，下記式（７）で示される置換基・・を表し，Ｑは，水酸基，アルコキシル基，下記式（７）で示される置換基・・を表す。）
　　　　　　　　　　・・・・・　　　」
　
Ａ２「【００２８】
　本発明のカラーフィルタ用緑色着色組成物には，顔料の凝集を防ぎ，顔料が微細に分散した状態を維持し，良好な流動性と安定性を併せ持つ緑色着色組成物を得るため，下記式（３）〜（６）の塩基性基からなる群の中から選ばれる少なくとも１つの塩基性基を有する，顔料誘導体，アントラキノン誘導体，アクリドン誘導体，トリアジン誘導体など色素誘導体を含有させることとができる。塩基性基を有する色素誘導体を使用することにより，着色組成物の流動性，安定性が向上し，着色組成物の分散性が向上することにより，均一な塗工膜を得ることができるようになる。また，調色比率の選択幅が広がるので，透過領域を拡大させる分光スペクトル設計が可能となり，カラーフィルタの明度を向上させることができる。
　　　　　　　　　　・・・・・
【００２９】
式（３）
【化４】
　　　　　　　　　　・・・・・
式（６）
【化７】
【００３０】
　上記式（３）〜（６）において，Ｘは，−ＳＯ2−，−ＣＯ−，−ＣＨ2ＮＨＣＯＣＨ2−，−ＣＨ2−または直接結合を表す。
　ｎは，１〜１０の整数を表し，好ましくは１〜３の整数である。
　Ｒ1およびＲ2は，それぞれ独立に，炭素数１〜３６の置換されていてもよいアルキル基，炭素数２〜３６の置換されていてもよいアルケニル基もしくは置換されていてもよいフェニル基を表すか，またはＲ1とＲ2とが結合して更なる窒素，酸素または硫黄原子を含む置換されていてもよい複素環を形成する。Ｒ1およびＲ2は，好ましくは，１〜５個の炭素原子を有する非置換もしくは置換アルキル基である。
　　　　　　　　　　・・・・・
【００３１】
　　　　　　　　　　・・・・・
　Ｙは，−ＮＲ8−Ｚ−ＮＲ9−または直接結合を表す。
  Ｒ8およびＲ9は，それぞれ独立に，水素原子，炭素数１〜３６の置換されていてもよいアルキル基，置換されていてもよい炭素数２〜３６のアルケニル基または置換されていてもよいフェニル基を表す。Ｒ8およびＲ9は，好ましくは，それぞれ，水素原子である。
  Ｚは，炭素数１〜３６の置換されていてもよいアルキレン基，炭素数２〜３６の置換されていてもよいアルケニレン基，または置換されていてもよいフェニレン基を表す。Ｚは，好ましくは，非置換もしくは置換フェニレン基である。
【００３２】
　Ｒは，下記式（７）で示される置換基または下記式（８）で示される置換基を表す。下記式（７）および（８）において，Ｒ1〜Ｒ7，およびｎは，上に定義したとおりである。
　Ｑは，水酸基，アルコキシル基，下記式（７）で示される置換基または下記式（８）で示される置換基を表す。Ｑは，好ましくは，下記式（７）で示される置換基である。
式（７）
【化８】
　　　　　　　　　　・・・・・
【００３３】
　特定の塩基性基を有する色素誘導体を構成する有機顔料骨格としては，例えば，ジケトピロロピロール系顔料，アゾ，ジスアゾ，ポリアゾ等のアゾ系顔料，フタロシアニン系顔料，ジアミノジアントラキノン，アントラピリミジン，フラバントロン，アントアントロン，インダントロン，ピラントロン，ビオラントロン等のアントラキノン系顔料，キナクリドン系顔料，ジオキサジン系顔料，ペリノン系顔料，ペリレン系顔料，チオインジゴ系顔料，イソインドリン系顔料，イソインドリノン系顔料，キノフタロン系顔料，スレン系顔料，金属錯体系顔料などが挙げられる。また，着色組成物に用いられる顔料でもよい。
　　　　　　　　　　・・・・・
【００３６】
　特定の塩基性基を有する色素誘導体の具体例を以下に示すが，これらに限定されるわけではない。色素誘導体は，単独でまたは２種類以上を混合して用いることができる。
【００３７】
【化１１】　　　　　
　　　　　　　　　　・・・・・
　誘導体７
　 」
　
Ａ３「【００９１】
（コントラスト比の評価）
　レジスト材塗布基板について，図１に示す測定装置を用いて，下記の方法でコントラスト比を測定した。結果を表４に示す。
　レジスト材塗布基板を2枚の偏光板の間に挟み，一方の偏光板側から液晶ディスプレー用バックライトユニット（７）を用いて光を照射する。バックライトユニットから出た光は，1枚目の偏光板（６）を通過して偏光され，ついでレジスト材塗布基板（４）（５）を通過し，2枚目の偏光板（３）に到達する。1枚目の偏光板と2枚目の偏光板の偏光面が平行であれば，光は2枚目の偏光板を透過するが，偏光面が直行している場合には光は2枚目の偏光板により遮断される。しかし，1枚目の偏光板によって偏光された光が，レジスト材塗布基板を通過するときに，顔料粒子による散乱等が起こり偏光面の一部にずれを生じると，偏光板が平行のときは2枚目の偏光板を透過する光量が減り，偏向板が直行のときは2枚目の偏光板を光の一部が透過する。この透過光の輝度を偏光板上の輝度計（１）にて測定し，偏光板が平行のときの輝度と直行のときの輝度との比をコントラスト比とする。
　コントラスト比＝（平行のときの輝度）／（直行のときの輝度）
　従って，レジスト材塗布膜中の顔料により散乱が起こると，平行のときの輝度が低下し，かつ直行のときの輝度が増加するため，コントラスト比が低くなる。
　なお，輝度計は株式会社トプコン社製「色彩輝度計ＢＭ−５Ａ」，偏光板はサンリツ社製「偏光フィルムＬＬＣ２−９２−１８」を用いた。なお，測定に際しては，不要光を遮断するために，測定部分に１ｃｍ角の孔を開けた黒色のマスクを当てた。」
　
（ウ）刊行物Ｂ
Ｂ１「【請求項１】
　透明樹脂，その前駆体またはそれらの混合物からなる顔料担体と，該顔料担体に分散された有機顔料およびスルホン化色素誘導体のアルミニウム塩を含有することを特徴とする着色組成物。
　　　　　　　　　　・・・・・
【請求項３】
　樹脂型分散剤を含有することを特徴とする請求項１または２記載の着色組成物。
【請求項４】
　前記樹脂型分散剤が塩基性樹脂型分散剤であることを特徴とする請求項３記載の着色組成物。
　　　　　　　　　　・・・・・
【請求項６】
　請求項１〜５いずれか記載の着色組成物から形成されるフィルタセグメントを具備することを特徴とするカラーフィルタ。」
　
Ｂ２「【００４４】
　　　　　　　　　　・・・・・
　有機顔料を顔料担体中に分散する際には，適宜，界面活性剤，他の色素誘導体等の分散助剤を用いることができる。
　　　　　　　　　　・・・・・
【００４６】
　他の色素誘導体とは，有機色素に置換基を導入した化合物である。有機色素には，一般に色素とは呼ばれていないナフタレン系，アントラキノン系等の淡黄色の芳香族多環化合物も含まれる。色素誘導体としては，特開昭６３−３０５１７３号公報，特公昭５７−１５６２０号公報，特公昭５９−４０１７２号公報，特公昭６３−１７１０２号公報，特公平５−９４６９号公報等に記載されているものを使用できる。特に，塩基性基を有する色素誘導体および塩基性基を有するトリアジン誘導体は，顔料の分散効果が大きいため，好適に用いられる。
　色素誘導体が有する塩基性基として具体的には，下記一般式（３）・・（６）で表される置換基が挙げられる。
【００４７】
一般式（３）
【化５】
　　　　　　　　　　・・・・・
【００５０】
一般式（６）
【化８】
【００５１】
（式中，Ｘ：−ＳＯ2−，−ＣＯ−，−ＣＨ2ＮＨＣＯＣＨ2−，−ＣＨ2−または直接結合を表す。ｎ：１〜１０の整数を表す。Ｒ1，Ｒ2：それぞれ独立に，置換されていてもよいアルキル基，置換されていてもよいアルケニル基，置換されていてもよいフェニル基，またはＲ1とＲ2とで一体となって更に窒素，酸素または硫黄原子を含む置換されていてもよい複素環を表す。・・Ｙ：−ＮＲ8−Ｚ−ＮＲ9−または直接結合を表す。Ｒ8，Ｒ9：それぞれ独立に水素原子，置換されていてもよいアルキル基，置換されていてもよいアルケニル基または置換されていてもよいフェニル基を表す。Ｚ：置換されていてもよいアルキレン基，置換されていてもよいアルケニレン基，または置換されていてもよいフェニレン基を表す。Ｐ：一般式（７）で表される置換基・・を表す。Ｑ：水酸基，アルコキシル基，一般式（７）で表される置換基・・を表す。）
【００５２】
一般式（７）
【化９】
　　　　　　　　　　・・・・・
【００５４】
　塩基性基を有する色素誘導体を構成する有機色素としては，例えば，ジケトピロロピロール系色素，アゾ，ジスアゾ，ポリアゾ等のアゾ系色素，フタロシアニン系色素，ジアミノジアントラキノン，アントラピリミジン，フラバントロン，アントアントロン，インダントロン，ピラントロン，ビオラントロン等のアントラキノン系色素，キナクリドン系色素，ジオキサジン系色素，ペリノン系色素，ペリレン系色素，チオインジゴ系色素，イソインドリン系色素，イソインドリノン系色素，キノフタロン系色素，スレン系色素，金属錯体系色素が挙げられる。また，先に例示した有機顔料でもよい。
　　　　　　　　　　・・・・・
【００６０】
　他の誘導体としては，表１〜１０に示すものを用いることができるが，これらに限定されるわけではない。色素誘導体は，単独でまたは２種類以上を混合して用いることができる。
　　　　　　　　　　・・・・・
【００６３】
【表３】
　　」
　
（エ）刊行物Ｃ
Ｃ１「２.　特許請求の範囲
１．下記一般式（Ｉ）で表わされる顔料分散剤。
 式中Ａ，Ｂは，それぞれ独立に−ＣＯ−，−ＮＨ−，−Ｓ−または−Ｏ−である。Ｗは水素基，ハロゲン原子，ニトロ基，メトキシ基，エトキシ基，フェノキシ基，スルファモイル基，カルバモイル基，置換もしくは無置換のアルキル基，あるいはメチル基，ニトロ基またはハロゲン原子で置換もしくは無置換のフェニルカルバモイル基あるいはフェニルスルファモイル基である。Ｘは−ＣＯ−または，−ＳＯ２−である。Ｙ１は
　または
　である。Ｚは置換基を有してもよいアルキレン基またはアリーレン基である。Ｙ２は
である。Ｙ３は水酸基，アルコキシ基またはＹ２である。Ｒ１，Ｒ２はそれぞれ独立に水素原子または置換もしくは無置換のアルキル基である。Ｒ３，Ｒ４，Ｒ５はそれぞれ独立に置換もしくは無置換のアルキル基を表わし，Ｒ３とＲ４は窒素原子を含む，ヘテロ環を形成していてもよい。ｌは０〜２の整数である。ｍは１〜６の整数である。ｎは１〜２の整数である。」（特許請求の範囲 請求項１）
　
Ｃ２「（産業上の利用分野）
本発明は使用適性，特に非集合性，非結晶性に優れた顔料分散剤に関する。」（１頁右下欄１２〜１４行）
　
Ｃ３「〔製造例１〕
　Ｐ−アミノアセドアニライドと塩化シアヌルを等モル反応させ，さらに２倍モルのＮ，Ｎ−ジメチルアミノエチルアミンを反応させた後，加水分解して得られる下記構造式を有するアミン４０部と
アントラキノン−２−カルボン酸を常法に従って，塩化チオニルで塩素化して得たアントラキノン−２−カルボクロリド２７部とを３００部のメタノールに３時間加熱還流する。
　反応終了活水１５００部と水酸化ナトリウム８部を加え，濾過，水洗，乾燥し，次の構造を存する顔料分散剤（ａ）５８部を得た。
　」（５頁右上欄最下行〜左下欄下から４行）
　
エ　刊行物１に記載された発明
　
　刊行物１は，「インキや塗料に有効な，フタロシアニン顔料を含む着色組成物」（１ｂ【０００１】）に関し記載するものであって，請求項１には「樹脂，その前駆体またはそれらの混合物からなる顔料担体と，中心金属としてアルミニウムを有するアルミニウムフタロシアニン顔料と，中心金属として亜鉛を有する亜鉛フタロシアニン顔料とを含むことを特徴とする着色組成物」（１ａ）が記載されている。　
　この着色組成物において，刊行物１にはさらに，「金属フタロシアニン顔料を顔料担体中に分散する際には，適宜・・色素誘導体等の分散助剤を含有させることができる」こと（１ｄ【００２１】），「色素誘導体は，有機色素に塩基性基または酸性基を導入した化合物である。・・塩基性基を有する色素誘導体は，顔料の分散効果が大きいため，好適に用いられる」こと（１ｅ【００２９】），「色素誘導体を構成する有機色素としては・・フタロシアニン系色素・・アントラキノン系色素・・が挙げられる。また，先に例示した有機顔料でもよい。・・色素誘導体が有する塩基性基として具体的には，下記一般式２・・および５で表される置換基が挙げられる。
一般式２
【化２】　
一般式５
【化５】
　上記式２〜５において，Ｘは，−ＳＯ2−，−ＣＯ−，−ＣＨ2ＮＨＣＯＣＨ2−，−ＣＨ2−または直接結合を表す。ｎは，１〜１０の整数を表し，・・Ｒ1およびＲ2は，それぞれ独立に，炭素数１〜３６の置換されていてもよいアルキル基，炭素数２〜３６の置換されていてもよいアルケニル基もしくは置換されていてもよいフェニル基を表すか，またはＲ1とＲ2とが結合して更なる窒素，酸素または硫黄原子を含む置換されていてもよい複素環を形成する。・・Ｙは，−ＮＲ8−Ｚ−ＮＲ9−または直接結合を表す。Ｒ8およびＲ9は，それぞれ独立に，水素原子，炭素数１〜３６の置換されていてもよいアルキル基，置換されていてもよい炭素数２〜３６のアルケニル基または置換されていてもよいフェニル基を表す。・・Ｚは，炭素数１〜３６の置換されていてもよいアルキレン基・・または置換されていてもよいフェニレン基を表す。・・Ｐは，下記式６で示される置換基・・を表す。下記式６・・において，Ｒ1〜Ｒ7，およびｎは，上に定義したとおりである。Ｑは，水酸基，アルコキシル基，下記式６で示される置換基・・を表す。・・一般式６
【化６】
　」（１ｅ【００３０】ないし【００３５】）ことが記載されている。
　このような塩基性基を有する色素誘導体を含有する請求項１記載の着色組成物の具体例として，実施例６（１ｇ【００７０】，【００７１】，【００７８】【表１４】）には，それぞれ所定量の「粗製ハロゲン化銅フタロシアニン顔料」から作製した「フタロシアニン系緑色顔料１」（１ｇ【００６４】），「粗製ハロゲン化アルミニウムフタロシアニン顔料」から作製した「フタロシアニン系緑色顔料２」（１ｇ【００６５】）及び「粗製ハロゲン化亜鉛フタロシアニン顔料」から作製した「フタロシアニン系緑色顔料３」（１ｇ【００６５】）からなるフタロシアニン系顔料，色素誘導体（化合物Ａ−４８），アクリル樹脂溶液，ジペンタエリストリトールペンタアクリレート及びヘキサアクリレート，並びに，シクロヘキサノンを含む顔料分散体を作製し，この顔料分散体にそれぞれ所定量のアクリル樹脂溶液，光重合開始剤，界面活性剤，貯蔵安定剤及びシクロヘキサノンを混合して作製した着色組成物が記載されている。
　上記「色素誘導体（化合物Ａ−４８）」は，有機色素に塩基性基を導入した化合物の具体例として刊行物１の【表８】（１ｆ【００４６】）に「化合物Ａ−４８」と記載されているもので，その化学構造式は「
」というものであり，有機色素である銅フタロシアニン色素に，塩基性基である　
を導入した化合物である。
　また，アクリル樹脂溶液は，重量平均分子量２６０００のアクリル樹脂の溶液に不揮発分が２０重量％になるようにシクロヘキサノンを添加して調製したものである（１ｇ【００５７】）。
　
　そうすると，刊行物１には，
「粗製ハロゲン化銅フタロシアニン顔料から作製したフタロシアニン系緑色顔料１を１０．０重量％，粗製ハロゲン化アルミニウムフタロシアニン顔料から作製したフタロシアニン系緑色顔料２を１０．０重量％及び粗製ハロゲン化亜鉛フタロシアニン顔料から作製したフタロシアニン系緑色顔料３を８０．０重量％からなるフタロシアニン系顔料の合計１３．５部，色素誘導体（化合物Ａ−４８）
１．５部，シクロヘキサン中の不揮発分２０重量％のアクリル樹脂溶液４０．０部，ジペンタエリストリトールペンタアクリレート及びヘキサアクリレート（東亞合成社製「アロニックスＭ４００」）７．０部，並びに，シクロヘキサノン３８．０部を含む顔料分散体を作製し，この顔料分散体を５３．３３部，シクロヘキサン中の不揮発分２０重量％のアクリル樹脂溶液７．７５部，光重合開始剤（チバスペシャルティケミカルズ社製「イルガキュア９０７」）２．２４部，界面活性剤（ビックケミー社製「ＢＹＫ−３２３」）０．０３部，貯蔵安定剤（北興化学社製「ＴＰＰ」）０．２０部，及び，シクロヘキサノン３５６．４５部を混合して作製した着色組成物」
の発明（以下「引用発明」という。）が記載されていると認められる。
　
オ　本願補正発明と引用発明との対比
　
（ア）本願補正発明の「少なくともハロゲン化亜鉛フタロシアニン顔料を含む緑色顔料成分」とは，本願明細書の「（緑色顔料成分）本発明のカラーフィルタ用緑色着色組成物は，少なくともハロゲン化亜鉛フタロシアニン顔料を主顔料として使用することを特徴としている。・・緑色顔料成分には，主顔料であるハロゲン化亜鉛フタロシアニン顔料だけでなく，色調整や補色目的で他の緑色顔料や黄色顔料も併用することができる。併用することができる他の緑色顔料としては、Ｃ．Ｉ．ピグメントグリーン７・・３６・・等を挙げることができる」（【００１８】，【００２０】，【００２１】）という記載より，ハロゲン化亜鉛フタロシアニン顔料を主顔料とし，銅フタロシアニン緑色顔料であるＣ．Ｉ．ピグメントグリーン７，３６（【０００７】）等の他の緑色顔料を併用することができるものといえる。
　他方，引用発明の「粗製ハロゲン化銅フタロシアニン顔料から作製したフタロシアニン系緑色顔料１を１０．０重量％，粗製ハロゲン化アルミニウムフタロシアニン顔料から作製したフタロシアニン系緑色顔料２を１０．０重量％及び粗製ハロゲン化亜鉛フタロシアニン顔料から作製したフタロシアニン系緑色顔料３を８０．０重量％からなるフタロシアニン系顔料」は，フタロシアニン系顔料中，粗製ハロゲン化亜鉛フタロシアニン顔料から作製したフタロシアニン系緑色顔料３が８０．０重量％含まれており，ハロゲン化亜鉛フタロシアニン顔料を主顔料とするものといえ，さらに粗製ハロゲン化銅フタロシアニン顔料から作製したフタロシアニン系緑色顔料１及び粗製ハロゲン化アルミニウムフタロシアニン顔料から作製したフタロシアニン系緑色顔料２を各１０，０重量％ずつ含んでおり，他の緑色顔料を併用しているものといえる。
　そうすると，引用発明の「粗製ハロゲン化銅フタロシアニン顔料から作製したフタロシアニン系緑色顔料１を１０．０重量％，粗製ハロゲン化アルミニウムフタロシアニン顔料から作製したフタロシアニン系緑色顔料２を１０．０重量％及び粗製ハロゲン化亜鉛フタロシアニン顔料から作製したフタロシアニン系緑色顔料３を８０．０重量％からなるフタロシアニン系顔料」は，本願補正発明の「少なくともハロゲン化亜鉛フタロシアニン顔料を含む緑色顔料成分」に相当する。
　
（イ）本願補正発明の「一般式（１）で示される色素誘導体」と引用発明の「色素誘導体（化合物Ａ−４８）」とは，色素誘導体である点で共通する。
　
（ウ）本願補正発明の「樹脂，その前駆体又はそれらの混合物からなる顔料担体」について，本願明細書の「樹脂には，熱可塑性樹脂・・が含まれ・・これらを単独で，又は２種以上混合して用いることができる」（【００５４】）及び「熱可塑性樹脂としては・・アクリル系樹脂・・が挙げられる」（【００５８】）との記載，並びに，実施例１ないし２２ではアクリル樹脂を使用していること（【００９９】ないし【０１０６】，【０１１３】ないし【０１２６】）から，本願補正発明の「顔料担体」を構成する樹脂として，アクリル系樹脂が含まれるといえる。
　そうすると，引用発明の「シクロヘキサン中の不揮発分２０重量％のアクリル樹脂溶液」中のアクリル樹脂は，本願補正発明の「顔料担体」を構成する樹脂といえるから，本願補正発明の「顔料担体」に相当する。
　
（エ）引用発明の「着色組成物」は，上記（ア）より，緑色顔料成分を含有するもので緑色着色組成物といえるから，本願補正発明の「緑色着色組成物」に相当する。
　
（オ）そうすると，両者は，
「少なくともハロゲン化亜鉛フタロシアニン顔料を含む緑色顔料成分と，色素誘導体と，樹脂，その前駆体又はそれらの混合物からなる顔料担体と，を含有してなる緑色着色組成物」
である点で一致し，以下の点で相違するといえる。
　
相違点１：色素誘導体が，本願補正発明では，
一般式（１）で示されるもの，
一般式（１）：
Ｐ−Ｌｍ
（ただし，一般式（１）中，
Ｐは，ｍ価の，ベンズイミダゾロン顔料残基，又はアントラキノン骨格であり，ｍは，１〜４の整数であり，
Ｌは，一般式（２），及び（４）で示される群から選ばれる置換基である。）
一般式（２）：
【化１】
一般式（４）：
【化２】
〔ただし，一般式（２），（４）中，
Ｘは，−ＳＯ2−，−ＣＯ−，−ＣＨ2−，−ＣＨ2ＮＨＣＯＣＨ2−，−ＣＨ2ＮＨＳＯ2ＣＨ2−，又は直接結合であり，
Ｙは，−ＮＨ−，−Ｏ−，又は直接結合であり，
ｎは，１〜１０の整数であり，
Ｙ1は，−ＮＨ−，−ＮＲ58−Ｚ−ＮＲ59−，又は直接結合であり，
Ｒ58，及びＲ59は，それぞれ独立に，水素結合，置換基を有しても良い炭素数１〜３６いアルキル基，置換基を有しても良い炭素数２〜３６のアルケニル基，又は置換基を有しても良いフェニル基であり，
Ｚは，置換基を有しても良いアルキレン基，又は置換基を有しても良いアリーレン基であり，
Ｒ50，Ｒ51は，それぞれ独立に，水素原子，置換基を有しても良い炭素数１〜３０のアルキル基，置換基を有しても良い炭素数２〜３０のアルケニル基，又はＲ50とＲ51とが一体となって更なる窒素，酸素，若しくは硫黄原子を含む，置換基を有しても良い複素環であり，
Ｒ57は，前記一般式（２）で表す置換基であり，
Ｑは，水酸基，アルコキシル基，又は上記一般式（２）で示される置換基である。〕」と特定されているのに対し，引用発明では，有機色素である銅フタロシアニン色素に，塩基性基である　
を導入した化合物である化合物Ａ−４８である点
　
相違点２：緑色着色組成物が，本願補正発明ではカラーフィルタ用であるのに対し，引用発明ではカラーフィルタ用か明らかでない点
　
カ　判断
　
（ア）相違点について　
　
ａ　相違点１について　
　引用発明の色素誘導体は分散助剤であり，塩基性基を有する色素誘導体は顔料の分散効果が大きいため好適に用いられるものである（１ｄ）。
　この引用発明の色素誘導体について，刊行物１には「【００２９】色素誘導体は，有機色素に塩基性基・・を導入した化合物である・・【００３０】色素誘導体を構成する有機色素としては，例えば・・フタロシアニン系色素，・・アントラキノン系色素・・が挙げられる。・・【００３１】色素誘導体が有する塩基性基として具体的には，下記一般式２・・および５で表される置換基が挙げられる。
一般式２【化２】
　　　　　　　　　　・・・・・
一般式５【化５】
【００３２】
　上記式２〜５において，Ｘは，−ＳＯ2−，−ＣＯ−，−ＣＨ2ＮＨＣＯＣＨ2−，−ＣＨ2−または直接結合を表す。
　ｎは，１〜１０の整数を表し，・・。
　Ｒ1およびＲ2は，それぞれ独立に，炭素数１〜３６の置換されていてもよいアルキル基，炭素数２〜３６の置換されていてもよいアルケニル基，・・・またはＲ1とＲ2とが結合して更なる窒素，酸素または硫黄原子を含む置換されていてもよい複素環を形成する。・・・
【００３３】
　　　　　　　　　　・・・・・
　Ｙは，−ＮＲ8−Ｚ−ＮＲ9−または直接結合を表す。
　Ｒ8およびＲ9は，それぞれ独立に，水素原子，炭素数１〜３６の置換されていてもよいアルキル基，置換されていてもよい炭素数２〜３６のアルケニル基または置換されていてもよいフェニル基を表す。・・・
　Ｚは，炭素数１〜３６の置換されていてもよいアルキレン基・・・または置換されていてもよいフェニレン基を表す。・・・
　Ｐは，下記式６で示される置換基・・を表す。下記式６・・において，Ｒ1〜Ｒ7およびｎは，上に定義したとおりである。
　Ｑは，水酸基，アルコキシル基，下記式３で示される置換基・・を表す。・・・
【００３５】
一般式６ 【化６】
　」（１ｅ）と記載されている。
　この記載より，引用発明の色素誘導体について，色素誘導体を構成し上記塩基性基が導入される有機色素として，フタロシアニン系色素とアントラキノン系色素とは同列に記載されていることから，上記塩基性基が導入されたフタロシアニン系色素と同塩基性基が導入されたアントラキノン系色素とは，共に色素誘導体として使用可能であることが分かる。引用発明の色素誘導体（化合物Ａ−４８）は，上記塩基性基が導入されたフタロシアニン系色素の一具体例である。
　
　顔料成分と，色素誘導体と，樹脂からなる顔料担体とを含有してなる着色組成物において，色素誘導体は顔料の分散剤であること，色素誘導体として，アントラキノン系色素に刊行物１記載の上記一般式２又は一般式５で表される塩基性基（１ｅ）を導入した化合物があること，及び，この色素誘導体は顔料の分散効果が大きいため好適に用いられることは，上記イに示した刊行物１に記載（１ｅ，１ｆ【００４０】【表２】Ａ−７）されている。
　さらに，着色組成物の技術分野において，このような色素誘導体である顔料分散剤は，刊行物Ａ（Ａ２），刊行物Ｂ（Ｂ１請求項４，Ｂ２）及び刊行物Ｃ（Ｃ１，Ｃ２，Ｃ３の顔料分散剤（ａ））の記載からも明らかなように，本願優先日当時，周知であった。
　
　また，色素誘導体における有機色素と塩基性基との連結部分について，刊行物１には「色素誘導体は，有機色素に塩基性基・・を導入した化合物である」と記載され，特段規定されていない。
　刊行物１に記載された色素誘導体の具体例（１ｆ）を検討すると，引用発明の色素誘導体である「化合物Ａ−４８」は，銅フタロシアニン色素に塩基性基として
を連結部分なしで導入したものである。他方，アントラキノン系色素の色素誘導体の具体例である「化合物Ａ−７」（１ｆ【００４０】【表２】）は，アントラキノン系色素に塩基性基として
を連結部分である
を介して導入したものである。色素誘導体の他の具体例（１ｆ）を検討すると，連結部分の有無及び連結部分の構造は様々である。
　そうすると，色素誘導体においては，有機色素と塩基性基とを有していることが重要であり，有機色素と塩基性基との連結部分の有無及びその構造は，色素誘導体として最適に機能し得るよう，適宜設計し得るものといえる。
　アントラキノン系色素に塩基性基を連結部分なしで導入した色素誘導体は，刊行物Ｃ記載（Ｃ３）の顔料分散剤（ａ）より明らかなように，本願優先日当時，周知である。
　
　そうすると，引用発明において，顔料の分散剤としての役割を持つ色素誘導体として，銅フタロシアニン色素に塩基性基（１ｅ）として
を導入した化合物である化合物Ａ−４８に代えて，同様に用いられることが刊行物１に記載され本願優先日当時周知であった，アントラキノン系色素に上記一般式２又は一般式５で表される塩基性基（１ｅ）を導入した化合物を適用することは，当業者が容易になし得たことであり，この際，連結部分につき，色素誘導体として最適に機能し得るよう適宜設計し，連結部分なしでアントラキノン系色素に上記塩基性基を導入した化合物とすることに，格別の困難性はない。
　
ｂ　相違点２について
　刊行物１には，「【産業上の利用可能性】【００８５】本発明の着色組成物は，鮮明な色調，広い色表示領域，高い着色力を発揮する良好なインキ及び塗料として用いることができ・・カラーフィルター用インキ等の用途に適当できる。」（１ｈ）と記載されている。
　そうすると，引用発明の着色組成物の用途として，カラーフィルター用とすることは，当業者が容易になし得たことである。
　
（イ）本願補正発明の効果について
　
ａ　本願補正発明の効果は，本願明細書の記載（【００１６】）によれば，高流動かつ安定な顔料分散体となり，高明度かつ高コントラスト比のカラーフィルタを形成することが可能になることであると認められる。
　
ｂ　しかしながら，フタロシアニン系色素又はアントラキノン系色素に刊行物１記載の上記一般式２又は一般式５で表される塩基性基（１ｅ）を導入した色素誘導体は，共に，分散剤として顔料の分散効果が大きいこと，これら色素誘導体を使用した着色組成物は，その流動性，安定性，分散性が向上すること，さらに，調色比率の選択幅が広がるので，透過領域を拡大させる分光スペクトル設計が可能となり，カラーフィルタの明度を向上させることができることは，刊行物１に記載されている（１ｅ，１ｇ）。
　さらに，刊行物Ａにも同様に記載（Ａ２）されており，本願優先日当時，周知であった。
　そうすると，引用発明において，色素誘導体として，化合物Ａ−４８に代えて，アントラキノン系色素に上記一般式２又は一般式５で表される塩基性基（１ｅ）を導入した化合物を含有させた着色組成物においても，高流動かつ安定な顔料分散体となり，高明度なカラーフィルタを形成することが可能になることは，当業者が予測し得た効果である。
　
ｃ　さらに，刊行物１には，引用発明である実施例６の着色組成物の色調鮮明度の評価結果として，高鮮明度であることが示されている（１ｇ【００７８】【表１４】【００８０】）。
　この色調の鮮明度の定義及び評価方法について，刊行物１には「【００７２】（１）色調の鮮明度評価　ガラス基板に・・実施例１〜２０，比較例１〜３２で得られた着色組成物を塗布し・・サンプル基板を得た。サンプル基板を２枚の偏光板の間に挟み，偏光板が平行の時の輝度と偏光板が直行の時の輝度を下記の方法で測定し，色調の鮮明度として，偏光板が平行のときの輝度と，直行のときの輝度との比を算出した。（色調の鮮明度）＝（平行のときの輝度）／（直行のときの輝度）」（１ｇ）と記載されている。
　ここで，一般に，コントラスト比とは，刊行物Ａ（Ａ４【００９１】）にも記載されているように，レジスト材塗布基板を２枚の偏光板の間に挟み，一方の偏光板側から液晶ディスプレー用バックライトユニットを用いて光を照射し，透過光の輝度を偏光板上の輝度計にて測定し，偏光板が平行のときの輝度と直行のときの輝度との比をコントラスト比，すなわち，コントラスト比＝（平行のときの輝度）／（直行のときの輝度）とするものである。
　このコントラスト比の定義及び評価方法は，実質的に，上記刊行物１記載の色調の鮮明度の定義及び評価方法と同じである。
　それ故，刊行物１には，引用発明は高鮮明度であることが示されており（１ｇ【００７８】【表１４】【００８０】），引用発明は高コントラスト比のものであるといえるから，引用発明の色素誘導体として，化合物Ａ−４８に代えて，同等の作用効果を奏するアントラキノン系色素に上記一般式２又は一般式５で表される塩基性基（１ｅ）を導入した化合物を含有させた着色組成物も，同様に，高コントラスト比のものであると予測される。　
　加えて，刊行物１に「アルミニウムフタロシアニン顔料は，鮮明な色調を発揮すると共に，広い色表示領域を発揮する。また，亜鉛フタロシアニン顔料は，広い色表示領域を発揮すると共に，高い着色力を発揮する。そのため，本発明の着色組成物は，鮮明な色調，広い色表示領域，高い着色力を満足する」（１ｂ【０００７】）と記載されていることから，亜鉛フタロシアニン顔料及びアルミニウムフタロシアニン顔料の当該効果も加味すれば，これらの顔料を含んでいる引用発明は，鮮明な色調を発揮する，すなわち高コントラスト比のものであると予測される。
　そうすると，引用発明において，色素誘導体として，化合物Ａ−４８に代えて，同等の作用効果を奏するアントラキノン系色素に上記一般式２又は一般式５で表される塩基性基（１ｅ）を導入した色素誘導体を含有させた着色組成物においても，同様に，高明度かつ高コントラスト比のカラーフィルタを形成することが可能になることも，当業者が予測し得た効果である。
　
ｄ　したがって，本願補正発明の効果は，刊行物１の記載事項及び本願優先日当時の周知事項から予測される範囲内のものであり，格別顕著なものではない。
　
ｅ　なお，請求人は，平成２５年１０月２８日付け審判請求書の「（５）拒絶理由について」において，「平成２３年（審決注：「平成２５年」の誤記と認める。）８月２０日付意見書において申し述べましたとおり，本願の構造式を満たさない，引用文献１記載の（Ａ−４８）で表される銅フタロシアニンの色素誘導体を用いた場合と比較して、流動性及び諸耐性に優れており，かつ明度及びコントラスト比が高く，カラーフィルタ用として優れた効果を奏することで顕著な差を示しており，とくに明度においては，３．１〜４．７ポイントも差があり，７％〜１０％ものアップが確認され、実証されております。カラーフィルタ業界においては，近年，コントラスト比だけでなく，従来以上の高明度が要求されているため，その要求は非常に厳しく（出願当初の明細書段落［０００６］参照），この明度向上から，本発明は非常に優れた『顕著な効果』を有していることは明らかです。」と主張している。
　平成２５年８月２０日付け意見書の「（７）添付書類：実験成績証明書＜５＞実験結果」を参照すると「実験表１．に示すように，本願発明の特定色素誘導体を含まない着色組成物であるレジスト材Ｅは，粘度が高く，塗膜の明度，コントラスト比も低い結果であった。これに対し，本願の「アンカー部がベンズイミダゾロン，またはアントラキノンである塩基性置換基を有する色素誘導体」を用いたレジスト材Ａ〜Ｄは，流動性及び諸耐性に優れており，かつ明度及びコントラスト比が高い結果であった」と記載されている。
　しかしながら，本願明細書の実施例１，４，６，７に記載の緑色着色組成物（レジスト材１，４，６，７）に含まれている色素誘導体は，いずれも本願補正発明の一般式（１）で示されるものではなことから，これらの効果は，本願補正発明の効果とはいえない。
　したがって，請求人の上記主張を採用することはできない。
　
キ　独立特許要件のまとめ
　
　したがって，本願補正発明は，その優先日前に頒布された刊行物１に記載された発明及び本願優先日前の周知事項に基いて当業者が容易に発明をすることができたものであるから，特許法第２９条第２項の規定により特許を受けることができない。
　
　よって，本願補正発明は，特許出願の際独立して特許を受けることができるものではないから，請求項１についての補正は，特許法第１７条の２第６項において準用する同法第１２６条第７項の規定に適合しないものである。
　
３　補正の却下の決定のむすび
　
　以上のとおり，請求項１についての補正は，特許法第１７条の２第６項において準用する同法第１２６条第７項の規定に適合しないものであるから，本件補正は，同法第１５９条第１項において読み替えて準用する同法第５３条第１項の規定により却下すべきものである。
　よって，結論のとおり決定する。
　
第３　本願発明について
　
１　本願発明
　
　平成２５年１０月２８日付けの手続補正は，上記第２に記載されたとおり却下されたので，この出願の発明は，平成２５年８月２０日付けの手続補正により補正された特許請求の範囲に記載された事項により特定されるとおりのものであるところ，その請求項１に係る発明（以下「本願発明」という。）は，次のとおりのものである。
　
「少なくともハロゲン化亜鉛フタロシアニン顔料を含む緑色顔料成分と，アンカー部がベンズイミダゾロン，またはアントラキノンである塩基性置換基を有する色素誘導体と，樹脂，その前駆体又はそれらの混合物からなる顔料担体と，を含有してなるカラーフィルタ用緑色着色組成物。」
　
２　原査定の拒絶の理由の概要
　
　本願発明についての原査定の拒絶の理由は，本願発明は，その出願前日本国内又は外国において頒布された引用文献１（特開２００７−２０４６５８号公報（以下「刊行物１」という。））に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない，というものである。　
　　　　　　　　　　　　　　　
３　刊行物
　
　刊行物１：特開２００７−２０４６５８号公報（第２　２（２）イに示した刊行物１と同じ。）
　刊行物Ａ：特開２００７−３３５７９号公報（第２　２（２）イに示した刊行物Ａと同じ。）
　刊行物Ｂ：特開２００４−３０７８５４号公報（第２　２（２）イに示した刊行物Ｂと同じ。）
　刊行物Ｃ：特開昭６３−３０５１７３号公報（第２　２（２）イに示した刊行物Ｃと同じ。）
　刊行物ＡないしＣは，この出願の優先日における周知技術又は技術水準を示すために引用するものである。
　
４　刊行物の記載事項
　
　前記第２ ２（２）ウに記載したとおりである。
　
５　刊行物１に記載された発明
　
　前記第２ ２（２）エに記載したとおりである。
　
６　対比・判断
　
　本願発明は，上記第２ ２（２）オ，カで検討した本願補正発明における「色素誘導体」につき，本願補正発明の色素誘導体も含まれる発明であるから，本願補正発明を包含する発明である。
　そうすると，本願発明の発明特定事項を全て含み，さらに他の発明特定事項を減縮したものに相当する本願補正発明が，前記第２ ２（２）オ，カに記載したとおり，この優先日前に頒布された刊行物１に記載された発明及び周知事項に基いて当業者が容易に発明をすることができたものであるから，本願発明も同様の理由により，この優先日前に頒布された刊行物１に記載された発明及び周知事項に基いて当業者が容易に発明をすることができたものであり，特許法第２９条第２項の規定により特許を受けることができない。
　
第４　むすび 
　
　以上のとおり，本願発明は特許法第２９条第２項の規定により特許を受けることができないものであるから，この出願は，拒絶すべきものである。
　
　よって，結論のとおり審決する。